(57)【要約】【課題】  製品としての容器に対して緩衝固定材機能を有し、広い有効収納容積が確保でき、挿入が容易で取り出しも容易でしかも開封容易で、内部の販促物の破損のおそれがない内小箱を備える外箱付き容器商品を提供する。【解決手段】  容器と、この容器を収納して包装するための外箱と、この外箱の中に容器を収納した後、容器と外箱との間に形成される内部空間の中に挿入される内小箱とを有する外箱付き容器商品であって、前記外箱は下面部、上面部および側面部を備える箱体であり、前記外箱内に収納される容器は、容器の胴部と、この胴部に連接する肩部と、この肩部に連接して上方に延びる細径の首部と、首部先端の口部とを有し、前記内小箱は、前記容器の肩部と接することのできる傾斜した底面部と、この底面部に連接しつつ前記容器の首部と接することができる内側面とを有する箱体であり、前記底面部と内側面との連接部分に容器の首部の基部近傍との密着性を良くするための押し込み凹部が形成されてなるように構成される。【選択図】  図２
2005053567.tif 000002
【特許請求の範囲】
【請求項１】
容器と、この容器を収納して包装するための外箱と、この外箱の中に容器を収納した後、容器と外箱との間に形成される内部空間の中に挿入される内小箱とを有する外箱付き容器商品であって、
前記外箱は下面部、上面部および側面部を備える箱体であり、
前記外箱内に収納される容器は、容器の胴部と、この胴部に連接する肩部と、この肩部に連接して上方に延びる細径の首部と、首部先端の口部とを有し、
前記内小箱は、前記容器の肩部と接することのできる傾斜した底面部と、この底面部に連接しつつ前記容器の首部と接することができる内側面とを有する箱体であり、前記底面部と内側面との連接部分に容器の首部の基部近傍との密着性を良くするための押し込み凹部が形成されてなることを特徴とする内小箱が挿入された外箱付き容器商品。
【請求項２】
前記内小箱の押し込み凹部は、前記底面部と内側面との連接部分に対して垂直方向にカットされた一対のスリットを設けるとともに一対のスリットのそれぞれの両端部を繋ぐ一対の折り目線を連接部分に対して略鏡像関係に設け、一対のスリットによりカットされた連接部分を内小箱の内部に押し込む（谷折りする）ことにより形成されてなる請求項１に記載の内小箱が挿入された外箱付き容器商品。
【請求項３】
前記内小箱の内側面の前記一対のスリットの略延長線上には、カット目が二列に延設されており、これらのカット目の先端には二列のカット目を繋ぐように引裂き開始片が形成されおり、前記カット目は、内小箱を挿入する際にすでに収納されている容器に貼り付けられているラベルに対して逆目を形成しないように構成されてなる請求項１または請求項２に記載の内小箱が挿入された外箱付き容器商品。
【請求項４】
前記外箱は下面部、上面部および４つの側面部を備える正四角柱形状の箱体であり、
前記内小箱は、略三角柱形状の箱体であり、
前記内小箱は、前記容器の肩部と接することのできる傾斜した底面部と、この底面部に連接しつつ前記容器の首部と接することができる内側面と、この内側面に連接する第１外側面と第２外側面とを有し、第１外側面と第２外側面とは実質的に直角に連接されているとともにこれらの第１外側面と第２外側面は前記外箱の側面部の内面と接するようになっている請求項１ないし請求項３のいずかに記載の内小箱が挿入された外箱付き容器商品。
【請求項５】
前記外箱は下面部、上面部および筒状の側面部を備える円柱形状の箱体であり、
前記内小箱は、略半円柱形状の箱体であり、
前記内小箱は、前記容器の肩部と接することのできる傾斜した底面部と、この底面部に連接しつつ前記容器の首部と接することができる内側面と、この内側面に連接する湾曲の外側面とを有し、この外側面が前記外箱の筒状の側面部と接するようになっている請求項１ないし請求項４のいずかに記載の内小箱が挿入された外箱付き容器商品。
【請求項６】
前記容器はアルコール飲料が貯留された容器であり、前記内小箱の中には販売促進のための小物としての小ボトルが逆さまの状態で収納されてなる請求項１ないし請求項５のいずかに記載の内小箱が挿入された外箱付き容器商品。
【発明の詳細な説明】
【技術分野】
【０００１】
本発明は、製品を個包装するための外箱の中に製品である容器を収納した後、収納された容器と外箱との上部内部空間に挿入された内小箱を備える外箱付き容器商品に関する。
【背景技術】
【０００２】
従来から、商品の販売促進を図るためや、商品の存在を需要者に広くアピールするために、商品に販売促進用物品（以下、単に「販促物」と称す）を添えて販売しようとする試みがある。
【０００３】
また、商品に販促物を添えるシステムとして、（１）販売時に商品の購入とともにその場で販促物を需要者に手渡すシステムと、（２）商品と販促物を物理的に一体化しておき、需要者がその商品を購入すれば自動的に販促物が得られるシステムとが現在主流をなしている。
【０００４】
前者（１）のシステムでは、販促物を直接、購入者に手渡すという作業が必要となるために販売店での負担が大きい。また、常に、レジ周辺に多量の販促物を置いておかねばならず、広いスペースを確保しておかねばならないという問題もある。
また、後者（２）のシステムでは、商品と販促物を出荷の段階までに物理的に一体化させるという製造段階でのメーカー側の作業が必要となる。
【０００５】
上記２つのシステムを比較考量するに、長期に亘って大量の販促物を商品に添えて販売しようとすれば、後者（２）のシステムによる方法の方が、幅広い地域での販売展開が簡易に実現可能となり、拡販効果も大きいと思われる。また、トータルのコストを考えても有利である。このような観点から、従来より、後者（２）のシステム、すなわち、商品に販促物を物理的に一体化させるための種々の方法が考えられてきた。
【０００６】
例えば、商品が首部の比較的長いウイスキィーボトルのようなものであれば、図７に示されるような底面１２１の中央部に首部挿入用の穴１２５の空いた、組み立て可能な略立方体ないし略直方体の箱１２０が販促物を入れるための内小箱として用いられていた。すなわち、外箱１５０の中に製品である容器１７０を収納した後、次いで、内小箱１２０の底面１２１に形成された首部挿入用の穴１２５のなかに容器首部１７１を挿入する。そして、首部１７１の周縁に存在する空間内に販促物（図示していない）を入れた後に、略立方体ないし略直方体の小箱１２０の組み立てを完了させ、その後、図示していない外箱１５０の上蓋を閉めて、外箱１５０内への内小箱１２０（販促物が入っている）の収納が完成する。
【０００７】
しかしながらこの方法では、内小箱１２０の装着、組み立て等に多大の工数がかかってしまうという問題があり、また、内小箱１２０の収容容積もボトル首部の侵入により有効的には使えず、例えば大き目の立体的な販促物は収納しきれないという不都合がある。また、内小箱１２０そのものの取り出しスペース（手を挿入できるスペース）を考えると、内小箱１２０そのものを商品との関係で緩衝固定材として用いることは困難である。さらには、購入後の内小箱等の開封は決して容易とは言えない。
【０００８】
また、より簡便な一体化の方法として、外箱に接着剤等により連結させて外部に設置する方法、すなわち、例えば販促物が収納された小袋を外箱の外側面にホットメルト接着剤等で固着させる方法がある。
【０００９】
しかしながら、この外部接着による方法では、外箱の外面に販促物が収納された袋がぶら下がっている形態となるので、商品の取り扱いが極めて不便となってしまう。例えば、出荷の段階での梱包も困難であるととともに、その後の販売店における商品の整理された陳列も困難である。陳列スペースも余分に必要となる。さらには、販促物が外に出っ張っているために、販促物の破損等も生じ得る。この場合には、販促物を供給するメーカーのイメージダウンにも繋がりかねない。また、商品との関係で緩衝固定材も別途設けなければならない。
【００１０】
【特許文献１】特開２００２−２５５６２３号公報
【特許文献２】特開平０８−５３１２５号公報
【特許文献３】実用新案登録第２５９２９５７号公報
【発明の開示】
【発明が解決しようとする課題】
【００１１】
このような実状のもとに本発明は創案されたものであり、その目的は、上記の問題点を解決し、製品としての容器に対して緩衝固定材機能を有し、広い有効収納容積が確保でき、挿入が容易で取り出しも容易でしかも開封容易で、内部の販促物の破損のおそれがない内小箱を備える外箱付き容器商品を提供することにある。
【課題を解決するための手段】
【００１２】
上記課題を解決するために本発明は、容器と、この容器を収納して包装するための外箱と、この外箱の中に容器を収納した後、容器と外箱との間に形成される内部空間の中に挿入される内小箱とを有する外箱付き容器商品であって、前記外箱は下面部、上面部および側面部を備える箱体であり、前記外箱内に収納される容器は、容器の胴部と、この胴部に連接する肩部と、この肩部に連接して上方に延びる細径の首部と、首部先端の口部とを有し、前記内小箱は、前記容器の肩部と接することのできる傾斜した底面部と、この底面部に連接しつつ前記容器の首部と接することができる内側面とを有する箱体であり、前記底面部と内側面との連接部分に容器の首部の基部近傍との密着性を良くするための押し込み凹部が形成されてなるように構成される。
【００１３】
また、本発明の好ましい態様として、前記内小箱の押し込み凹部は、前記底面部と内側面との連接部分に対して垂直方向にカットされた一対のスリットを設けるとともに一対のスリットのそれぞれの両端部を繋ぐ一対の折り目線を連接部分に対して略鏡像関係に設け、一対のスリットによりカットされた連接部分を内小箱の内部に押し込む（谷折りする）ことにより形成されてなるように構成される。
【００１４】
また、本発明の好ましい態様として、前記内小箱の内側面の前記一対のスリットの略延長線上には、カット目が二列に延設されており、これらのカット目の先端には二列のカット目を繋ぐように引裂き開始片が形成されおり、前記カット目は、内小箱を挿入する際にすでに収納されている容器に貼り付けられているラベルに対して逆目を形成しないように構成される。
【００１５】
また、本発明の好ましい態様として、前記外箱は下面部、上面部および４つの側面部を備える正四角柱形状の箱体であり、前記内小箱は、略三角柱形状の箱体であり、前記内小箱は、前記容器の肩部と接することのできる傾斜した底面部と、この底面部に連接しつつ前記容器の首部と接することができる内側面と、この内側面に連接する第１外側面と第２外側面とを有し、第１外側面と第２外側面とは実質的に直角に連接されているとともにこれらの第１外側面と第２外側面は前記外箱の側面部の内面と接するように構成される。
【００１６】
また、本発明の好ましい態様として、前記外箱は下面部、上面部および筒状の側面部を備える円柱形状の箱体であり、前記内小箱は、略半円柱形状の箱体であり、前記内小箱は、前記容器の肩部と接することのできる傾斜した底面部と、この底面部に連接しつつ前記容器の首部と接することができる内側面と、この内側面に連接する湾曲の外側面とを有し、この外側面が前記外箱の筒状の側面部と接するように構成される。
【００１７】
また、本発明の好ましい態様として、前記容器はアルコール飲料が貯留された容器であり、前記内小箱の中には販売促進のための小物としての小ボトルが逆さまの状態で収納されてなるように構成される。
【発明の効果】
【００１８】
本発明は、容器と、この容器を収納して包装するための外箱と、この外箱の中に容器を収納した後、容器と外箱との間に形成される内部空間の中に挿入される内小箱とを有する外箱付き容器商品であって、前記外箱は下面部、上面部および側面部を備える箱体であり、前記外箱内に収納される容器は、容器の胴部と、この胴部に連接する肩部と、この肩部に連接して上方に延びる細径の首部と、首部先端の口部とを有し、前記内小箱は、前記容器の肩部と接することのできる傾斜した底面部と、この底面部に連接しつつ前記容器の首部と接することができる内側面とを有する箱体であり、前記底面部と内側面との連接部分に容器の首部の基部近傍との密着性を良くするための押し込み凹部が形成されてなるように構成されているので、製品としての容器に対して緩衝固定材機能を有し、広い有効収納容積が確保でき、挿入が容易で取り出しも容易でしかも開封容易で、内部の販促物の破損のおそれがない内小箱を備える外箱付き容器商品の提供が実現できる。
【発明を実施するための最良の形態】
【００１９】
以下、本発明の内小箱が挿入された外箱付き容器商品１の具体的実施の形態の一例について、図１〜図６を参照しつつ説明する。
【００２０】
図１は、内小箱が挿入された外箱付き容器商品１の外箱の上面を開放して箱内部を上方から見た平面図であり、図２は、図１のＡ−Ａ方向からみた箱内部の要部を模式的に示した側部相当図面であり、図３は、図１のＢ−Ｂ方向からみた箱内部の要部を模式的に示した側部相当図面である。図４は製品として収納される容器と外箱との上部内部空間に挿入される内小箱の斜視図であり、図５は、図４の別の角度からの斜視図である。図６は、内小箱の展開図である。
【００２１】
本発明の内小箱が挿入された外箱付き容器商品１は、図１〜図３に示されるように、製品としての容器１０と、この容器１０を収納して個包装するための外箱２０と、この外箱２０の中に容器１０を収納した後、容器１０と外箱２０との間に形成される上部内部空間の中に挿入される内小箱３０とを有している。
【００２２】
図示の実施例における外箱２０は、下面部２１、上面部２５および４つの側面部２３（特に図１）を備える正四角柱形状の箱体として構成されている。上面部２５は、例えば図１に示されるように２枚のフラップ板２５ａ、２５ａと１枚の上板２５ｂの組み合わせ体から構成されることが一般的であるが、この形態に限定されてことなく１枚の蓋材紙から構成することもできる。
【００２３】
このような外箱２０の中には、上述したように製品としての例えばアルコール飲料が貯留された容器１０が収納された後、容器１０と外箱２０との間に形成される上部内部空間の中に内小箱３０が挿入されている。より詳しくは、容器１０と外箱２０との間に形成される上部内部空間の中に内小箱３０が嵌まり込むようにして固定されている。
【００２４】
外箱２０内に収納される容器１０は、図２や図３に示されるように容器１０の胴部１２と、この胴部１２に連接する肩部１４と、この肩部１４に連接して上方に延びる細径の首部１６と、首部１６の先端に位置する口部１８とを有している。口部１８には通常、口部を塞ぐためのキャップ１９が被着されている。
【００２５】
本発明における内小箱３０は、好ましい態様として販売促進のための小物を収納しつつ容器に対して緩衝機能および容器を固定する機能（併せて「緩衝固定材機能」と称する）を有している。このような機能を発揮させるために、内小箱３０は、図４や図５に示されるように外箱２０に収納されている容器１０の肩部１４と接することのできる傾斜した底面部３１と、この底面部３１に連接しつつ容器１０の首部１６と接することができる内側面３３とを有する箱体である。
【００２６】
さらに、本実施の形態における好適な一例としての内小箱１０は、内側面３３に連接する第１外側面３４と第２外側面３５とを有し、第１外側面３４と第２外側面３５とは実質的に直角に連接されている。そしてこれらの第１外側面３４と第２外側面３５は、それらが構成する直角の角部分と、前記外箱２０の直角の角部分とが略ぴったりと一致するように装着される。つまり、外箱２０の側面部の内面と接するようになっている。
【００２７】
そして、底面部３１と内側面３３との連接部分には、容器１０の首部１６の基部近傍との密着性を良くするための押し込み凹部４０が形成されている。
【００２８】
このような内小箱３０の押し込み凹部４０は、本実施例の形態の場合、以下の要領で形成されている。すなわち、図６の展開図（展開紙）に示されるように、内小箱３０は、底面部３１と内側面３３との連接部分３２に対して垂直方向にカットされた一対のスリット３６を備えており、さらにこれらの一対のスリット３６のそれぞれの両端部３６ａと３６ａ，３６ｂと３６ｂとを繋ぐように一対の折り目線３７，３８が連接部分３２に対して略鏡像関係に設けられている。そして、図６に示される展開紙を組み立てて内小箱３０を形成した後、一対のスリットによりカットされた連接部分３２ａを内小箱の内部に押し込む（谷折りする）ようにして凹ませることにより押し込み凹部４０が形成される（図４および図５の状態に至る）。
【００２９】
また、本実施の形態において、内小箱３０の内側面３３の一対のスリット３６の略延長線上には、不連続なカット目５０が二列に延設されており、これらのカット目５０の先端には二列のカット目５０を繋ぐように略半円状の引裂き開始片５８が形成されている。
【００３０】
カット目５０を構成する個々のカット形状は、内小箱３０を外箱２０内に挿入する際に、すでに収納されている容器１０の外面に貼り付けられているラベルを損傷させることがないようなカット形状、すなわち、内小箱３０を外箱２０内に挿入する際に、すでに収納されている容器１０外面に対して逆目を形成しないように配置された実質的「くの字」形状として構成されている。
【００３１】
実質的「くの字」の形状であるから、例えば明瞭な角部が存在しない「ノの字」のような湾曲形状も含まれる。「逆目を形成しないような配置」という文言をより具体的に理解しようとすると、実質的「くの字」の形状を魚の鱗の一枚と考えると分かりやすい。そして、外箱への挿入方向との関係で鱗が剥がれないように作用する配置が「逆目を形成しないような配置」となる。いわゆる順目という表現とすることもできる。これとは反対に、鱗が剥がれるように作用する配置が「逆目を形成する配置」となる。
【００３２】
本実施における「くの字」形状の好適な一例は、スリット３６の延長線方向のカット部分５１と、これに連接しつつこの先から内方向に入り込むカット部分５２から構成されている。
【００３３】
図６に示される内小箱３０の展開紙について、追加説明しておくと、第１外側面３４の下部端ライン３４ａと第２外側面３５の下部端ライン３５ａは、傾斜する底面部３１を形成するために底面部３１と内側面３３との連接部分３２のラインに対して所定の傾斜ラインで形成されている。そして、内小箱３０の組み立てに際して、下部端ライン３４ａと底面部３１の折り線３１ａとが合致し、下部端ライン３５ａと底面部３１の折り線３１ｂとが合致するようになっている。なお、底面部３１に連接している符号３１´および３１”は、それぞれ糊代片を示している。
【００３４】
これに対して、第１外側面３４の上部端ライン３４ｂと第２外側面３５の上部端ライン３５ｂは、通常のフラットな上面部３９を形成するために上面部３９と内側面３３との連接部分４２に対して同方向ラインで形成されている。そして、内小箱３０の組み立てに際して、上部端ライン３４ｂと上面部３９の折り線３９ｂとが合致し、上部端ライン３５ｂと上面部３９の折り線３９ａとが合致するようになっている。なお、上面部３９に連接している符号３９´および３９”は、それぞれ糊代片を示している。
また、第２外側面３５に連接されている符号３５´は内側面３３に固着される糊代片を示している。
【００３５】
図６に示される内小箱３０の展開紙を、図４や図５に示されるような内小箱形状に組立てた後、あるいは組み立て中に、この内小箱３０に例えば販促用の物品が入れられる。そして、このように組み立てられた内小箱３０は、図１〜図３に示されるように収納された容器１０と外箱２０との上部内部空間の角部に挿入される。この際、内小箱３０の傾斜した底面部３１は、容器１０の肩部１４と部分的に接することができ、さらに内小箱３０の押し込み凹部４０は、容器１０の首部１６の基部近傍と密着することができ、さらに内小箱３０の内側面３３は容器１０の首部と接することができるようになっている。
【００３６】
そして、前述したように内小箱３０の第１外側面３４と第２外側面３５は、それらが構成する直角の角部分と、外箱２０の直角の角部分とが一致するようになっているため、内小箱３０は、容器１０と外箱２０との上部内部空間の角部にぴったりと装着される。それゆえ、内小箱３０は商品との関係で緩衝固定材の機能も果たしており、容器１０は内小箱３０が装着されている側へのぐらつきがないことは勿論のこと、内小箱３０が装着されていない側へのぐらつきも生じない。さらに、内小箱３０の装着個数は１つに限定されることなく、例えば、対向するコーナー（角部）に２つ配置するように装着してもよい。
【００３７】
また、図３に示されるように本発明において適用される容器１０の高さＨに対する容器１０の首部１６の長さＨ0の占める割合は、２０〜６０％、より好ましくは３０〜５５％とされる。この値が２０％未満となると、内小箱３０の収納スペースが小さくなり過ぎて、内小箱３０を入れるメリットが少なくなってしまう。また、この値が６０％を超えると、容器１０そのものの貯留能力が不足してしまい、容器としての機能が不十分となってしまうという不都合が生じる。
【００３８】
なお上述してきた容器１０の好適な具体例は、ウイスキー等のアルコール飲料が貯留された容器であり、また、内小箱３０の中に入れられる好適な販促物は、図２の想像線で描かれた小ボトル（ミニチュアボトルであり、逆さまの状態で収納されている）である。小ボトルを内小箱３０に入れる場合に、内小箱３０の押し込み凹部４０が小ボトルのショルダー近傍を押えて固定できるように設計することが望ましい。この場合には、押し込み凹部４０にはさらなる固定機能が実質的に付加されたことになる。
【００３９】
なお、上述してきた実施形態はその好適な一例を示したものであり、それに限定されるものではない。例えば、外箱は、正四角柱形状の箱体に限定されることなく、円柱形状の箱体（５角以上の多角柱を含む）としてもよい。この場合には、外箱は下面部、上面部および筒状の側面部を備える円柱形状の箱体であり、内小箱は、略半円柱形状の箱体とすることができる。そして、この場合における内小箱は、容器の肩部と接することのできる傾斜した底面部と、この底面部に連接しつつ前記容器の首部と接することができる内側面と、この内側面に連接する湾曲の外側面とを有し、この外側面が外箱の筒状の側面部と接するようになっており、底面部と内側面との連接部分に容器の首部の基部近傍との密着性を良くするための押し込み凹部が形成される。
【産業上の利用可能性】
【００４０】
例えば、販売促進のための小物が収納されてなる内小箱を備える外箱付き容器商品に利用できる。
【図面の簡単な説明】
【００４１】
【図１】図１は、内小箱が挿入された外箱付き容器商品の外箱の上面を開放して箱内部を上方から見た平面図である。
【図２】図２は、図１のＡ−Ａ方向からみた箱内部の要部を模式的に示した側部相当図面である。
【図３】図３は、図１のＢ−Ｂ方向からみた箱内部の要部を模式的に示した側部相当図面である。
【図４】図４は、製品として収納される容器と外箱との上部内部空間に挿入される内小箱の斜視図である。
【図５】図５は、図４の別の角度からの斜視図である。
【図６】図６は、内小箱の展開図である。
【図７】図７は、従来例を説明するための概略斜視図である。
【符号の説明】
【００４２】
１…内小箱が挿入された外箱付き容器商品
１０…容器
１２…胴部
１４…肩部
１６…首部
１８…口部
２０…外箱
２１…上面部
２３…側面部
２５…下面部
３０…内小箱
３１…底面部
３３…内側面
４０…押し込み凹部
【図１】
2005053567.tif 000003
【図２】
2005053567.tif 000004
【図３】
2005053567.tif 000005
【図４】
2005053567.tif 000006
【図５】
2005053567.tif 000007
【図６】
2005053567.tif 000008
【図７】
2005053567.tif 000009